【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  像担持体上に画像を形成する画像形成手段と、
前記像担持体上の画像を記録媒体上に転写する転写手段と、
前記記録媒体上に転写された画像を記録媒体上に定着する定着手段と、
前記像担持体上に形成された画像情報を検出する光学検出手段と、
前記記録媒体上に定着された画像の画像情報を読み取る読み取り手段と、
画像形成時の環境データを検出するための環境データ検出手段と、
前記環境データにより画像形成条件を制御する制御手段と、
画像特性を判断するための画像パターンを前記像担持体上に形成し、前記記録媒体上に転写、定着した後、前記読み取り手段により読み取り、読み取った画像情報に従って前記画像形成条件を補正するキャリブレーション手段を有する画像形成装置において、
前記キャリブレーション手段を実行時に、キャリブレーションにより決定した画像形成条件で、像担持体上にパッチを形成する画像形成手段と、
前記像担持体上に形成されたパッチの画像情報を前記光学検出手段により読み取り、この画像情報を前記画像形成条件の基準とし、
画像形成シーケンス中に、像担持体上にパッチを形成し、形成されたパッチの画像情報を前記光学検出手段で読み取り、読み取った画像情報と、前記基準となる画像情報とから前記キャリブレーションにより決定した画像形成条件をさらに補正する補正手段を持ち、
前記環境センサのデータにより、前記補正手段をリセットするか否かを判別する判別手段と、
前記判別手段に従って、前記補正手段のリセットを実行することを特徴とする画像形成装置。
【請求項２】  像担持体上に画像を形成する画像形成手段と、
前記像担持体上の画像を記録媒体上に転写する転写手段と、
前記記録媒体上に転写された画像を記録媒体上に定着する定着手段と、
前記像担持体上に形成された画像情報を検出する光学検出手段と、
前記記録媒体上に定着された画像の画像情報を読み取る読み取り手段と、
定着温度を検出する定着温度検出手段と、
画像形成条件を制御する制御手段と、
画像特性を判断するための画像パターンを前記像担持体上に形成し、前記記録媒体上に転写、定着した後、前記読み取り手段により読み取り、読み取った画像情報に従って前記画像形成条件を補正するキャリブレーション手段を有する画像形成装置において、
前記キャリブレーション手段を実行時に、キャリブレーションにより決定した画像形成条件で、像担持体上にパッチを形成する画像形成手段と、
前記像担持体上に形成されたパッチの画像情報を前記光学検出手段により読み取り、この画像情報を前記画像形成条件の基準とし、
画像形成シーケンス中に、像担持体上にパッチを形成し、形成されたパッチの画像情報を前記光学検出手段で読み取り、読み取った画像情報と、前記基準となる画像情報とから前記キャリブレーションにより決定した画像形成条件をさらに補正する補正手段を持ち、
前記定着温度のデータにより、前記補正手段をリセットするか否かを判別する判別手段と、
前記判別手段に従って、前記補正手段のリセットを実行することを特徴とする画像形成装置。
【請求項３】  像担持体上に画像を形成する画像形成工程と、
前記像担持体上の画像を記録媒体上に転写する転写工程と、
前記記録媒体上に転写された画像を記録媒体上に定着する定着工程と、
前記像担持体上に形成された画像情報を検出する光学検出工程と、
前記記録媒体上に定着された画像の画像情報を読み取る読み取り工程と、
画像形成時の環境データを検出するための環境データ検出工程と、
前記環境データにより画像形成条件を制御する制御工程と、
画像特性を判断するための画像パターンを前記像担持体上に形成し、前記記録媒体上に転写、定着した後、前記読み取り工程により読み取り、読み取った画像情報に従って前記画像形成条件を補正するキャリブレーション工程を有する画像処理方法において、
前記キャリブレーション工程を実行時に、キャリブレーションにより決定した画像形成条件で、像担持体上にパッチを形成する画像形成工程と、
前記像担持体上に形成されたパッチの画像情報を前記光学検出工程により読み取り、この画像情報を前記画像形成条件の基準とし、
画像形成シーケンス中に、像担持体上にパッチを形成し、形成されたパッチの画像情報を前記光学検出工程で読み取り、読み取った画像情報と、前記基準となる画像情報とから前記キャリブレーションにより決定した画像形成条件をさらに補正する補正工程を持ち、
前記環境センサのデータにより、前記補正工程で使用される補正データをリセットするか否かを判別する判別工程と、
前記判別工程に従って、前記補正工程で使用される補正データのリセットを実行することを特徴とする画像処理方法。
【請求項４】  像担持体上に画像を形成する画像形成工程と、
前記像担持体上の画像を記録媒体上に転写する転写工程と、
前記記録媒体上に転写された画像を記録媒体上に定着する定着工程と、
前記像担持体上に形成された画像情報を検出する光学検出工程と、
前記記録媒体上に定着された画像の画像情報を読み取る読み取り工程と、
定着温度を検出する定着温度検出工程と、
画像形成条件を制御する制御工程と、
画像特性を判断するための画像パターンを前記像担持体上に形成し、前記記録媒体上に転写、定着した後、前記読み取り工程により読み取り、読み取った画像情報に従って前記画像形成条件を補正するキャリブレーション工程を有する画像処理方法において、
前記キャリブレーション工程を実行時に、キャリブレーションにより決定した画像形成条件で、像担持体上にパッチを形成する画像形成工程と、
前記像担持体上に形成されたパッチの画像情報を前記光学検出工程により読み取り、この画像情報を前記画像形成条件の基準とし、
画像形成シーケンス中に、像担持体上にパッチを形成し、形成されたパッチの画像情報を前記光学検出工程で読み取り、読み取った画像情報と、前記基準となる画像情報とから前記キャリブレーションにより決定した画像形成条件をさらに補正する補正工程を持ち、
前記定着温度のデータにより、前記補正工程で使用される補正データをリセットするか否かを判別する判別工程と、
前記判別工程に従って、前記補正工程で使用される補正データのリセットを実行することを特徴とする画像処理方法。
【請求項５】  前記画像形成条件が、γＬＵＴであることを特徴とする、特許請求項１から４に記載の画像処理方法及び画像形成装置。
【請求項６】  前記補正手段で使用される補正データが、濃度変動レベルの積算データ、濃度変動レベルを算出するための濃度変動値、濃度変動レベルから算出した補正γＬＵＴのいずれかであることを特徴とする、特許請求項１から５に記載の画像処理方法及び画像形成装置。
【請求項７】  前記補正手段で使用される補正データをリセットするか否かの判断に使用される環境データのレベルを設定可能な設定手段を有する、特許請求項１、３、５、６に記載の画像処理方法及び画像形成装置。
【請求項８】  前記補正手段で使用される補正データをリセットするか否かの判断に使用される定着温度データのレベルを設定可能な設定手段を有する、特許請求項２、４、５、６に記載の画像処理方法及び画像形成装置。
【請求項９】  画像形成部により像担持体上に形成された画像パターンを記録媒体上に転写し、該転写された画像パターンを読み取る読み取り手段、
前記読み取った画像信号に従い前記画像形成部の画像形成条件を決める決定手段、
前記画像形成部により前記像担持体上に形成された画像パターンに応じた光を検出する光検出手段、
画像形成時の環境情報を検出する検出手段、
前記光検出手段による検出結果を用いて、前記画像形成条件を補正する補正手段、
前記検出手段による検出結果に従い、前記補正手段により補正された画像形成条件を更に補正するか、前記補正手段により補正された画像形成条件をリセットし前記決定手段により決定された画像形成条件を補正し画像形成条件を得るか切り換えて、画像形成条件を補正する画像形成条件補正手段とを有することを特徴とする画像形成装置。
【請求項１０】  前記環境情報は水分情報であることを特徴とする請求項９項記載の画像形成装置。
【請求項１１】  前記画像形成条件は濃度補正のためのＬＵＴであることを特徴とする請求項９項記載の画像形成装置。
【請求項１２】  前記転写された画像パターンは、複数のパッチからなり濃度の低いパッチは濃度の高いパッチに比べ多く形成されることを特徴とする請求項９項記載の画像形成装置。
【請求項１３】  前記画像形成条件補正手段を開始させる指示手段を更に有することを特徴とする請求項９項記載の画像形成装置。
【請求項１４】  前記検出手段による検出における閾値を入力する入力手段を更に有することを特徴とする請求項９項記載の画像形成装置。
【請求項１５】  画像形成部により像担持体上に形成された画像パターンを記録媒体上に転写し、該転写された画像パターンを読み取る読み取り手段、
前記読み取った画像信号に従い前記画像形成部の画像形成条件を決める決定手段、
前記画像形成部により前記像担持体上に形成された画像パターンに応じた光を検出する光検出手段、
画像形成時の定着処理における温度を検出する検出手段、
前記光検出手段による検出結果を用いて、前記画像形成条件を補正する補正手段、
前記検出手段による検出結果に従い、前記補正手段により補正された画像形成条件を更に補正するか、前記補正手段により補正された画像形成条件をリセットし前記決定手段により決定された画像形成条件を補正し画像形成条件を得るか切り換えて、画像形成条件を補正する画像形成条件補正手段とを有することを特徴とする画像形成装置。
【請求項１６】  前記画像形成条件は濃度補正のためのＬＵＴであることを特徴とする請求項１５項記載の画像形成装置。
【請求項１７】  前記転写された画像パターンは、複数のパッチからなり濃度の低いパッチは濃度の高いパッチに比べ多く形成されることを特徴とする請求項１５項記載の画像形成装置。
【請求項１８】  前記画像形成条件補正手段を開始させる指示手段を更に有することを特徴とする請求項１５項記載の画像形成装置。
【請求項１９】  前記検出手段による検出における閾値を入力する入力手段を更に有することを特徴とする請求項１５項記載の画像形成装置。
【請求項２０】  画像形成部により像担持体上に形成された画像パターンを記録媒体上に転写し、該転写された画像パターンを読み取る読み取り工程、
前記読み取った画像信号に従い前記画像形成部の画像形成条件を決める決定工程、
前記画像形成部により前記像担持体上に形成された画像パターンに応じた光を検出する光検出工程、
画像形成時の環境情報を検出する検出工程、
前記光検出工程による検出結果を用いて、前記画像形成条件を補正する補正工程、
前記検出工程による検出結果に従い、前記補正工程により補正された画像形成条件を更に補正するか、前記補正工程により補正された画像形成条件をリセットし前記決定工程により決定された画像形成条件を補正し画像形成条件を得るか切り換えて、画像形成条件を補正する画像形成条件補正工程とを有することを特徴とする画像形成方法。
【請求項２１】  画像形成部により像担持体上に形成された画像パターンを記録媒体上に転写し、該転写された画像パターンを読み取る読み取り工程、
前記読み取った画像信号に従い前記画像形成部の画像形成条件を決める決定工程、
前記画像形成部により前記像担持体上に形成された画像パターンに応じた光を検出する光検出工程、
画像形成時の定着処理における温度を検出する検出工程、
前記光検出工程による検出結果を用いて、前記画像形成条件を補正する補正工程、
前記検出工程による検出結果に従い、前記補正工程により補正された画像形成条件を更に補正するか、前記補正工程により補正された画像形成条件をリセットし前記決定工程により決定された画像形成条件を補正し画像形成条件を得るか切り換えて、画像形成条件を補正する画像形成条件補正工程とを有することを特徴とする画像形成方法。
【手続補正２】
【補正対象書類名】明細書
【補正対象項目名】０００９
【補正方法】変更
【補正の内容】
【０００９】
【課題を解決するための手段】
上記目的を達成するために、請求項１の発明は、
像担持体上に画像を形成する画像形成手段と、
前記像担持体上の画像を記録媒体上に転写する転写手段と、
前記記録媒体上に転写された画像を記録媒体上に定着する定着手段と、
前記像担持体上に形成された画像情報を検出する光学検出手段と、
前記記録媒体上に定着された画像の画像情報を読み取る読み取り手段と、
画像形成時の環境データを検出するための環境データ検出手段と、
前記環境データにより画像形成条件を制御する制御手段と、
画像特性を判断するための画像パターンを前記像担持体上に形成し、前記記録媒体上に転写、定着した後、前記読み取り手段により読み取り、読み取った画像情報に従って前記画像形成条件を補正するキャリブレーション手段を有する画像形成装置において、
前記キャリブレーション手段を実行時に、キャリブレーションにより決定した画像形成条件で、像担持体上にパッチを形成する画像形成手段と、
前記像担持体上に形成されたパッチの画像情報を前記光学検出手段により読み取り、この画像情報を前記画像形成条件の基準とし、
画像形成シーケンス中に、像担持体上にパッチを形成し、形成されたパッチの画像情報を前記光学検出手段で読み取り、読み取った画像情報と、前記基準となる画像情報とから前記キャリブレーションにより決定した画像形成条件をさらに補正する補正手段を持ち、
前記環境センサのデータにより、前記補正手段をリセットするか否かを判別する判別手段と、
前記判別手段に従って、前記補正手段のリセットを実行することを特徴とする。
【手続補正３】
【補正対象書類名】明細書
【補正対象項目名】００１０
【補正方法】変更
【補正の内容】
【００１０】
請求項２記載の発明は、像担持体上に画像を形成する画像形成手段と、
前記像担持体上の画像を記録媒体上に転写する転写手段と、
前記記録媒体上に転写された画像を記録媒体上に定着する定着手段と、
前記像担持体上に形成された画像情報を検出する光学検出手段と、
前記記録媒体上に定着された画像の画像情報を読み取る読み取り手段と、
定着温度を検出する定着温度検出手段と、
画像形成条件を制御する制御手段と、
画像特性を判断するための画像パターンを前記像担持体上に形成し、前記記録媒体上に転写、定着した後、前記読み取り手段により読み取り、読み取った画像情報に従って前記画像形成条件を補正するキャリブレーション手段を有する画像形成装置において、
前記キャリブレーション手段を実行時に、キャリブレーションにより決定した画像形成条件で、像担持体上にパッチを形成する画像形成手段と、
前記像担持体上に形成されたパッチの画像情報を前記光学検出手段により読み取り、この画像情報を前記画像形成条件の基準とし、
画像形成シーケンス中に、像担持体上にパッチを形成し、形成されたパッチの画像情報を前記光学検出手段で読み取り、読み取った画像情報と、前記基準となる画像情報とから前記キャリブレーションにより決定した画像形成条件をさらに補正する補正手段を持ち、
前記定着温度のデータにより、前記補正手段をリセットするか否かを判別する判別手段と、
前記判別手段に従って、前記補正手段のリセットを実行することを特徴とする。
【手続補正４】
【補正対象書類名】明細書
【補正対象項目名】００１１
【補正方法】変更
【補正の内容】
【００１１】
請求項３の発明は、像担持体上に画像を形成する画像形成工程と、
前記像担持体上の画像を記録媒体上に転写する転写工程と、
前記記録媒体上に転写された画像を記録媒体上に定着する定着工程と、
前記像担持体上に形成された画像情報を検出する光学検出工程と、
前記記録媒体上に定着された画像の画像情報を読み取る読み取り工程と、
画像形成時の環境データを検出するための環境データ検出工程と、
前記環境データにより画像形成条件を制御する制御工程と、
画像特性を判断するための画像パターンを前記像担持体上に形成し、前記記録媒体上に転写、定着した後、前記読み取り工程により読み取り、読み取った画像情報に従って前記画像形成条件を補正するキャリブレーション工程を有する画像処理方法において、
前記キャリブレーション工程を実行時に、キャリブレーションにより決定した画像形成条件で、像担持体上にパッチを形成する画像形成工程と、
前記像担持体上に形成されたパッチの画像情報を前記光学検出工程により読み取り、この画像情報を前記画像形成条件の基準とし、
画像形成シーケンス中に、像担持体上にパッチを形成し、形成されたパッチの画像情報を前記光学検出工程で読み取り、読み取った画像情報と、前記基準となる画像情報とから前記キャリブレーションにより決定した画像形成条件をさらに補正する補正工程を持ち、
前記環境センサのデータにより、前記補正工程で使用される補正データをリセットするか否かを判別する判別工程と、
前記判別工程に従って、前記補正工程で使用される補正データのリセットを実行することを特徴とする。
【手続補正５】
【補正対象書類名】明細書
【補正対象項目名】００１２
【補正方法】変更
【補正の内容】
【００１２】
請求項４の発明は、像担持体上に画像を形成する画像形成工程と、
前記像担持体上の画像を記録媒体上に転写する転写工程と、
前記記録媒体上に転写された画像を記録媒体上に定着する定着工程と、
前記像担持体上に形成された画像情報を検出する光学検出工程と、
前記記録媒体上に定着された画像の画像情報を読み取る読み取り工程と、
定着温度を検出する定着温度検出工程と、
画像形成条件を制御する制御工程と、
画像特性を判断するための画像パターンを前記像担持体上に形成し、前記記録媒体上に転写、定着した後、前記読み取り工程により読み取り、読み取った画像情報に従って前記画像形成条件を補正するキャリブレーション工程を有する画像処理方法において、
前記キャリブレーション工程を実行時に、キャリブレーションにより決定した画像形成条件で、像担持体上にパッチを形成する画像形成工程と、
前記像担持体上に形成されたパッチの画像情報を前記光学検出工程により読み取り、この画像情報を前記画像形成条件の基準とし、
画像形成シーケンス中に、像担持体上にパッチを形成し、形成されたパッチの画像情報を前記光学検出工程で読み取り、読み取った画像情報と、前記基準となる画像情報とから前記キャリブレーションにより決定した画像形成条件をさらに補正する補正工程を持ち、
前記定着温度のデータにより、前記補正工程で使用される補正データをリセットするか否かを判別する判別工程と、
前記判別工程に従って、前記補正工程で使用される補正データのリセットを実行することを特徴とする。